(57)【要約】【課題】ハウジングの装着溝に嵌合される基部２の先端に基部２よりも幅広のシール部３を一体成形してなるガスケット１において、シールリップ５に発生する面圧を高く設定することが可能なガスケット１を提供する。【解決手段】シール部３のシール面４に、唯一のリップ端５ａを有するシールリップ５と、その両側に配置される着座安定用リップ６とを設ける。シールリップ５の高さｈ１を着座安定用リップ６の高さｈ２よりも大きく設定し、かつシールリップ５の高さｈ１を０．５〜０．７ｍｍ、着座安定用リップ６の高さｈ２を０．１〜０．３ｍｍ、シールリップ５の頂角αを４５〜７５度、着座安定用リップ６の頂角βを４５〜７５度に設定する。【選択図】図１
2007092897.tif 000002
【特許請求の範囲】
【請求項１】
ハウジングの装着溝に嵌合される基部（２）の先端に前記基部（２）よりも幅広のシール部（３）を一体成形してなるガスケット（１）であって、
前記シール部（３）のシール面（４）に、唯一のリップ端（５ａ）を有するシールリップ（５）と、その両側に配置される着座安定用リップ（６）とを設けたことを特徴とするガスケット。
【請求項２】
請求項１のガスケットにおいて、
シールリップ（５）は、その高さｈ１を着座安定用リップ（６）の高さｈ２よりも大きく設定し、かつ
前記シールリップ（５）の高さｈ１は、０．５〜０．７ｍｍ、
前記着座安定用リップ（６）の高さｈ２は、０．１〜０．３ｍｍ、
前記シールリップ（５）の頂角αは、４５〜７５度、
前記着座安定用リップ（６）の頂角βは、４５〜７５度、
に設定したことを特徴とするガスケット。
【発明の詳細な説明】
【技術分野】
【０００１】
本発明は、密封装置の一種であるガスケットに係り、更に詳しくは、相手部材に密接するシールリップの面圧を高く設定することが可能なガスケットに関するものである。本発明のガスケットは例えば、自動車もしくはその補機の分野、一般産業機械の分野または家庭用電気機器の分野等において用いられる。
【背景技術】
【０００２】
従来から、図２に示すように、ハウジング２１の装着溝２２に嵌合される基部５２の先端にこの基部５２よりも幅広のシール部５３を一体成形するとともに、シール部５３のシール面５４に、シールリップ５５と、その両側に配置される着座安定用リップ５６とを設けたガスケットが知られている（特許文献１参照）。
【０００３】
しかしながら、上記従来のガスケット５１においては、図示するようにシールリップ５５の先端にバラツキ吸収用の溝５７が設けられて、シールリップ５６の先端が二つに分割されている。したがって、装着時にガスケット５１に作用する圧縮荷重がこの二つ割の先端で左右方向に分散してしまうため、相手ハウジング２３に対するシールリップ５５の面圧が低くなり、シール性が不十分となる不都合がある。
【０００４】
また、上記ガスケット５１においては、シールリップ５５の高さｈと着座安定用リップ５６の高さｈとが等しく設定されている。したがって、装着時にガスケット５１に作用する圧縮荷重がこの三つのリップ５５，５６で等しく分散してしまうため、これによっても相手ハウジング２３に対するシールリップ５５の面圧が低くなり、シール性が不十分となる不都合がある。
【０００５】
【特許文献１】特開２００２−７１０２４号公報
【発明の開示】
【発明が解決しようとする課題】
【０００６】
本発明は以上の点に鑑みて、上記従来技術対比でシールリップに発生する面圧を高く設定することが可能なガスケットを提供することを目的とする。
【課題を解決するための手段】
【０００７】
上記目的を達成するため、本発明の請求項１によるガスケットは、ハウジングの装着溝に嵌合される基部の先端に前記基部よりも幅広のシール部を一体成形してなるガスケットであって、前記シール部のシール面に、唯一のリップ端を有するシールリップと、その両側に配置される着座安定用リップとを設けたことを特徴とする。
【０００８】
また、本発明の請求項２によるガスケットは、上記した請求項１のガスケットにおいて、シールリップは、その高さｈ１を着座安定用リップの高さｈ２よりも大きく設定し、かつ
前記シールリップの高さｈ１は、０．５〜０．７ｍｍ、
前記着座安定用リップの高さｈ２は、０．１〜０．３ｍｍ、
前記シールリップの頂角αは、４５〜７５度、
前記着座安定用リップの頂角βは、４５〜７５度、
に設定したことを特徴とする。
【０００９】
上記構成を備えた本発明の請求項１によるガスケットにおいては、シールリップが唯一のリップ端を備え、すなわち上記従来技術のようにシールリップの先端が二つ割とされていないために、装着時に作用する圧縮荷重が分散されることがない。
【００１０】
またこれに加えて、本発明の請求項２によるガスケットにおいては、シールリップの高さｈ１が着座安定用リップの高さｈ２よりも大きく設定されているために、シールリップが着座安定用リップよりも大きく圧縮される。またこの請求項２に係る発明では、シールリップおよび着座安定用リップの断面形状、すなわち具体的には、シールリップの高さｈ１、着座安定用リップの高さｈ２、シールリップの頂角αおよび着座安定用リップの頂角βを緻密に特定することによって一層の高面圧化が実現される。
【００１１】
これらの諸元値は、本願発明者らが鋭意行なった比較試験等の結果から導き出されたものであって、シールリップの高さｈ１が０．５〜０．７ｍｍを下回ると、シールリップが形成する面圧が小さく、また、ガスケットがシール面に及ぼす反力が大きくなる不具合があり、０．５〜０．７ｍｍを上回ると、シールリップが形成する面圧は大きいが、シールリップが倒れ易いので、シールリップが所定の面圧を発生せず、シール性が低下する不具合がある。
【００１２】
また、着座安定用リップの高さｈ２が０．１〜０．３ｍｍを下回ると、シールリップが倒れ易いので、シールリップが所定の面圧を発生せず、シール性が低下する不具合があり、０．１〜０．３ｍｍを上回ると、着座安定用リップにも大きな面圧が発生するため、ガスケットがシール面に及ぼす反力が大きくなる不具合がある。
【００１３】
また、シールリップの頂角αが４５〜７５度を下回ると、シールリップが形成する面圧は大きいが、シールリップの剛性が低くなり、シールリップが倒れ易い不具合があり、４５〜７５度を上回ると、シールリップが形成する面圧が小さく、また、ガスケットがシール面に及ぼす反力が大きくなる不具合がある。
【００１４】
更にまた、着座安定用リップの頂角βが４５〜７５度を下回ると、着座安定用リップの剛性が低くなるので、着座安定用リップが安定した状態で圧縮されないことから、着座安定用リップが有する支持作用が発現されない不具合があり、４５〜７５度を上回ると、着座安定用リップにも大きな面圧が発生するため、ガスケットがシール面に及ぼす反力が大きくなる不具合がある。
【発明の効果】
【００１５】
以上のように、本発明の請求項１によるガスケットでは、シールリップが唯一のリップ端を備える結果として、装着時に作用する圧縮荷重がシールリップの先端にて分散されることがないために、この分、シールリップの面圧を高くすることができ、よってシール性能を向上させることができる。
【００１６】
またこれに加えて、本発明の請求項２によるガスケットでは、シールリップの高さｈ１が着座安定用リップの高さｈ２よりも大きく設定される結果として、シールリップが着座安定用リップよりも大きく圧縮されるために、この分、シールリップの面圧を高くすることができ、また、シールリップおよび着座安定用リップの断面形状を緻密に特定したことによって一層の高面圧化を実現することができる。したがって、シール性能を一層向上させることができる。
【発明を実施するための最良の形態】
【００１７】
つぎに本発明の実施例を図面にしたがって説明する。
【００１８】
図１は、本発明の実施例に係るガスケット１の要部断面を示している。
【００１９】
当該実施例に係るガスケット１は、シリンダヘッドカバー（カムカバー）、インテークマニホールドまたはスロットル等において、互いに対向する二部材（いずれも図示せず、例えばシリンダヘッドおよびシリンダヘッドカバー）のうちの一方の部材に設けた装着溝に装着されて他方の部材に密接することにより二部材間をシールするものであって、以下のように構成されている。
【００２０】
すなわち、当該ガスケット１は、所定のゴム状弾性体によってエンドレス状に成形されており、上記シリンダヘッドカバー等の周縁部平面形状に沿った平面レイアウトに成形されている（この平面レイアウトに沿ってエンドレス状に成形されている）。
【００２１】
図１に示すように、当該ガスケット１は、装着溝に嵌合される基部２の先端にこの基部２（および装着溝）よりも幅広のシール部（フランジ部とも称する、このシール部ないしフランジ部は、装着溝に嵌合されず、上記二部材間に配置されて挟圧される）３を一体成形して断面略Ｔ字状を呈するとともに、シール部３のシール面４中央にシールリップ５を設け、更に、このシールリップ５の両側にそれぞれ着座安定用リップ６を対称的に設けたものである。
【００２２】
このうち、シールリップ５は、相手部材に密接して面圧（シール面圧）を確保し、もってシール作用をなすシール目的で設けられたものであって、断面略三角形状に成形され、その先端に二つ割されていない唯一のリップ端５ａを有している。
【００２３】
また、その両側の着座安定用リップ６は、面圧を確保するためではなくガスケット圧縮時にシールリップ５を支持してその着座姿勢を安定させるために設けられたものであって、同じく断面略三角形状に成形され、その先端に二つ割されていない唯一のリップ端６ａを有している。
【００２４】
シールリップ５の高さｈ１は、着座安定用リップ６の高さｈ２よりも大きく設定されており（ｈ１＞ｈ２）、かつ各部位は、以下に列記するような寸法諸元を有している。
【００２５】
シールリップ５の高さｈ１：０．５〜０．７ｍｍ、
着座安定用リップ６の高さｈ２：０．１〜０．３ｍｍ、
シールリップ５の頂角α：４５〜７５度、
着座安定用リップ６の頂角β：４５〜７５度、
【００２６】
上記したように、シールリップ５は唯一のリップ端５ａを備え、すなわち上記従来技術のようにシールリップの先端が二つ割とされていないために、装着時に作用する圧縮荷重が分散されることがない。また、シールリップ５の高さｈ１が着座安定用リップ６の高さｈ２よりも大きく設定されているために、シールリップ５が大きく圧縮されることになる。
【００２７】
したがって、上記構成のガスケット1によれば、高面圧であってかつ低反力の特性を同時に備えることが可能であることから、シール性および耐久性に優れたガスケットを提供することができる。
【図面の簡単な説明】
【００２８】
【図１】本発明の実施例に係るガスケットの要部断面図（端面図）
【図２】従来例に係るガスケットの要部断面図（端面図）
【符号の説明】
【００２９】
１  ガスケット
２  基部
３  シール部
４  シール面
５  シールリップ
５ａ，６ａ  リップ端
６  着座安定用リップ
【図１】
2007092897.tif 000003
【図２】
2007092897.tif 000004
【手続補正書】
【提出日】平成17年10月24日(2005.10.24)
【手続補正１】
【補正対象書類名】図面
【補正対象項目名】全図
【補正方法】変更
【補正の内容】
【図１】
2007092897.tif 000005
【図２】
2007092897.tif 000006